(57)【要約】【課題】  合理的に構成された目安機構を得ること。【解決手段】  当該目安機構は、ムーブメント１の回路基板５００に設けられた板バネ９４０及び目安接点９５０と、板バネと当接するとともに指針パイプ４１０の駆動に連動して板バネを操作する目安カム９３０とを備え、板バネは、その基端部９４１を回路基板の一方の面に支持するとともに、その先端部９４２を回路基板に設けた孔部５１０を通して回路基板の他方の面と対向する位置に延出してなり、目安接点は、板バネの先端部と接触する面を回路基板の他方の面に設けてなり、目安カムは、回路基板の一方の面と対向するとともに、回路基板に対して接近及び離反するものであり、目安カムが回路基板に対して接近すると、板バネの先端部が目安接点から離れ、目安カムが回路基板に対して離反すると、板バネの先端部が目安接点に接触するようにした。【選択図】図４
2010038583.tif 000002
【特許請求の範囲】
【請求項１】
アナログ時計のムーブメントに設けられる目安機構において、
前記ムーブメントは、モータと、前記モータに連結された減速機構と、指針を装着する指針パイプと、前記モータを制御する回路基板とを備え、
当該目安機構は、前記回路基板に設けられた板バネ及び目安接点と、前記板バネと当接するとともに前記指針パイプの駆動に連動して前記板バネを操作する目安カムとを備え、
前記板バネは、その基端部を前記回路基板の一方の面に支持するとともに、その先端部を前記回路基板に設けた孔部を通して前記回路基板の他方の面と対向する位置に延出してなり、
前記目安接点は、前記板バネの先端部と接触する面を前記回路基板の他方の面に設けてなり、
前記目安カムは、前記回路基板の一方の面と対向するとともに、前記回路基板に対して接近及び離反するものであり、
前記目安カムが前記回路基板に対して接近すると、前記板バネの先端部が前記目安接点から離れ、前記目安カムが前記回路基板に対して離反すると、前記板バネの先端部が前記目安接点に接触することを特徴とする目安機構。
【請求項２】
前記ムーブメントは、電波修正時計のムーブメントであることを特徴とする請求項１記載の目安機構。
【発明の詳細な説明】
【技術分野】
【０００１】
本発明は、アナログ時計のムーブメントに設けられる目安機構に関する。
【背景技術】
【０００２】
アナログ式の目覚し時計は、目安機構の目安接点に導体が接触した際にＯＮとなり、報知音を発生する。目安機構は、指針パイプの駆動に連動するカム体、すなわち目安カムが導体からなる板バネを操作してこれを目安接点に接触させる構成となっている。一般に、目安機構は、時計のムーブメントに組み込まれて、指針の駆動系とともにユニット化されている。この種の目安機構は、特許文献１乃至３にも開示されている。
【特許文献１】特開平９−１７１０８７号公報
【特許文献２】特開２００１−２４２２６５号公報
【特許文献３】特開２００３−１６７０６９号公報
【発明の開示】
【発明が解決しようとする課題】
【０００３】
さて近年では、標準時刻電波を受信してその表示時刻を修正する電波修正時計の使用が広まっており、ムーブメントについても、部品点数の削減、構造の簡素化、及び製造性の向上等を踏まえつつ、更なる工夫が求められている。
【０００４】
例えば、電波修正時計のムーブメントの内部には、指針の位置を検出する位置検出手段が設けられる。位置検出手段は、発光素子及び受光素子にて指針の駆動系を構成する歯車の位置を光学的に検出するものとなっており、これをムーブメントの内部に設ける場合は、目安機構をどのように配置するかが、設計上の大きな課題とされる。
【０００５】
特に目安接点は、配線構造の複雑化を回避すべく、ムーブメントの回路基板に設けることが望ましく、すると板バネも、目安接点に対する位置決め精度の観点から、同じ回路基板に設けることが望ましい。但しその場合は、位置検出手段との干渉を回避しつつ回路基板に対してカム体を接近及び離反させることになるため、目安機構は、そのレイアウトについて更なる設計の自由度の向上が必要とされている。
【０００６】
本発明は、かかる事情に鑑みてなされたものであり、その目的は、合理的に構成された目安機構を提供することである。
【課題を解決するための手段】
【０００７】
本願第１請求項に記載した発明は、アナログ時計のムーブメントに設けられる目安機構において、前記ムーブメントは、モータと、前記モータに連結された減速機構と、指針を装着する指針パイプと、前記モータを制御する回路基板とを備え、当該目安機構は、前記回路基板に設けられた板バネ及び目安接点と、前記板バネと当接するとともに前記指針パイプの駆動に連動して前記板バネを操作する目安カムとを備え、前記板バネは、その基端部を前記回路基板の一方の面に支持するとともに、その先端部を前記回路基板に設けた孔部を通して前記回路基板の他方の面と対向する位置に延出してなり、前記目安接点は、前記板バネの先端部と接触する面を前記回路基板の他方の面に設けてなり、前記目安カムは、前記回路基板の一方の面と対向するとともに、前記回路基板に対して接近及び離反するものであり、前記目安カムが前記回路基板に対して接近すると、前記板バネの先端部が前記目安接点から離れ、前記目安カムが前記回路基板に対して離反すると、前記板バネの先端部が前記目安接点に接触する構成の目安機構である。
【０００８】
本願第２請求項に記載した発明は、請求項１において、前記ムーブメントは、電波修正時計のムーブメントである構成の目安機構である。
【発明の効果】
【０００９】
本発明によれば、合理的に構成された目安機構を得ることができる。
【発明を実施するための最良の形態】
【００１０】
以下に、本発明の実施例を図面に基づいて説明する。図１乃至図４に示すアナログ時計のムーブメント１は、電波修正時計に用いられるものであって、複数のモータ２１０，２２０と、各モータ２１０，２２０に連結されたギア列からなる減速機構３１０，３２０と、指針を装着する指針パイプ４１０，４２０，４３０と、モータ２１０，２２０を制御する駆動回路を設けた回路基板５００と、それらを支持するケース体６００とを備え、指針パイプ４１０，４２０，４３０が減速機構３１０，３２０を介してモータ２１０，２２０により駆動する構成となっている。
【００１１】
具体的には、時針を装着する時針パイプ４１０、分針を装着する分針パイプ４２０、秒針を装着する秒針パイプ４３０が同心軸状に設けられている。そして、第１ステッピングモータ２１０に連結された第１減速機構３１０が分針パイプ４２０の基端部に設けられた分針車４２１と連結されている。第２ステッピングモータ２２０に連結された第２減速機構３２０が秒針パイプ４３０の基端部に設けられた秒針車４３１と連結されている。また、分針パイプ４２０の基端部に設けられたカナ４２２が日の裏車３１１と連結されており、時針パイプ４１０の基端部に設けられた時針車４１１が日の裏車３１１のカナ３１２と連結されている。
【００１２】
時針パイプ４１０及び分針パイプ４２０が第１ステッピングモータ２１０によりそれぞれ所定の速度で回転駆動し、秒針パイプ４３０が第２ステッピングモータにより所定の速度で回転駆動する。
【００１３】
尚、図中の７００は、発光素子７１０及び受光素子７２０からなる位置検出手段である。発光素子７１０及び受光素子７２０の間に位置する駆動部材の要所には、発光素子７１０の光を透過する透光部７３０が設けられており、受光素子７２０の検出パターンから各指針パイプ４１０，４２０，４３０の回転位置を検出する構成となっている。
【００１４】
また、本例のムーブメント１は、標準時刻電波を受信してその表示時刻を修正する電波修正時計に用いるものであって、標準時刻電波を受信するアンテナ８００をケース体６００に設けるとともに、受信の動作を制御する受信回路を回路基板５００に設けてなるものである。
【００１５】
ケース体６００は、背面側の第１ケース部材６１０及び正面側の第２ケース部材６２０をその厚さ方向に組付けてなる扁平型のものである。第１ケース部材６１０及び第２ケース部材６２０の間には、モータ２１０，２２０を装着した中板６０１が設けられている。
【００１６】
このケース体６００の内部には、モータ２１０，２２０、減速機構３１０，３２０、及び指針パイプ４１０，４２０，４３０の基端部が収納されている。第１ケース部材６１０、第２ケース部材６２０、及び中板６０１の要所には、各構成部材を保持する凹凸、ボス、及び支軸等が形成されている。指針パイプ４１０，４２０，４３０の先端部は、第２ケース部材６２０から正面に向けて突出している。第１ケース部材６１０及び第２ケース部材６２０は、互いにねじ止めされている。回路基板５００は、第２ケース部材６２０の正面に重ねてねじ止めし、装着されている。回路基板５００には、指針パイプ４１０，４２０，４３０を挿通する孔部５１０（図５参照）が設けられている。この回路基板５００の孔部５１０は、所定の形状を呈するものであって、後に詳述するように、目安機構９００の板バネ９４０の先端部を通して、これを回路基板５００の正面から背面に延出するものとなっている。
【００１７】
第１ケース部材６１０は、ケース体６００の正面側から見て第２ケース部材６２０の側部に食み出した部位にアンテナ８００の装着部６１１を一体に備えている。この装着部６１１は、正面側を開口した箱型を呈するものであり、その内部には、アンテナ８００の端部を固定するスナップ６１２が設けられている。すなわち、本例のムーブメント１は、ケース体６００を組付け、回路基板５００及びアンテナ８００を装着し、アンテナ８００のリード線を回路基板５００にハンダ付けしてそれらを電気的に接続した後に、回路基板５００に搭載されたコンデンサ等の受信回路の電子部品を操作してアンテナ８００のチューニングをすることができる構成となっている。
【００１８】
次に、本例の目安機構９００について説明する。本例のムーブメント１は、前述したように回路基板５００及びアンテナ８００を設けた後、更に回路基板５００の正面に目安機構９００を設けてなるものである。この目安機構９００は、第２ケース部材６２０の正面に第３ケース部材６３０をねじ止めし、この第３ケース部材６３０と回路基板５００との間に設けられている。指針パイプ４１０，４２０，４３０の先端部は、第３ケース部材６３０を貫通している。
【００１９】
この目安機構９００は、不図示の操作手段にて使用者が任意に回転操作する目安車９１０と、時針パイプ４１０と同期回転する時伝え車９２０と、時伝え車９２０に追従する目安カム９３０と、目安カム９３０を目安車９１０側に付勢する所定の形状の板バネ９４０と、回路基板５００に設けられた目安接点９５０とを備え、時針パイプ４１０の駆動に連動して板バネ９４０が目安接点９５０と離合して、目安接点９５０のＯＦＦ／ＯＮが切換えられる構成となっている。板バネ９４０及び目安接点９５０は、回路基板５００に設けられている。目安カム９３０は、板バネ９４０と当接するとともに時針パイプの４１０駆動に連動して板バネ９４０を操作する。
【００２０】
目安車９１０の要所には孔部９１１が設けられており、目安カム９３０は、一回転に一度、その突起部９３１が目安車９１０の孔部９１１に没入することにより、目安車９１０側にある程度移動する。目安カム９３０が目安車９１０側に移動すると、板バネ９４０の所定の部位が目安接点９５０と接触し、目安接点９５０がＯＦＦからＯＮとなる。
【００２１】
また、突起部９３１の先端には、所定の向きのテーパーが設けられており、突起部９３１は、目安車９１０の孔部９１１に没入した後、目安カム９３０がある程度回転したところで、その孔部９１１から外脱する。突起部９３１が孔部９１１から外脱すると、板バネ９４０が目安接点９５０から離れて、目安接点９５０がＯＮからＯＦＦとなる。
【００２２】
本例の場合、板バネ９４０は、その基端部９４１を回路基板５００の一方の面（正面側）に支持するとともに、その先端部９４２を回路基板５００の厚さ方向に折り曲げて、これを回路基板５００に設けた孔部５１０を通して回路基板５００の他方の面（背面側）と対向する位置に延出してなるものである。図５に示すように、板バネ９４０の中間部位には、指針パイプ４１０，４２０，４３０を挿通するリング部９４３が設けられており、目安カム９３０には、このリング部９４３が当接している。また、基端部９４１の近傍には、第３ケース部材６３０の要所に設けられたボス６３１に押圧される押圧部９４４と、この押圧部９４４とリング部９４３との間を支える分枝部９４５が設けられており、押圧部９４４が押圧されることにより、分枝部９４５を支点としてリング部９４３が目安カム９３０側に付勢され、目安カム９３０との当接圧が適宜調整される構成となっている。回路基板５００には、ボス６３１に押されて変形した押圧部９４４を逃がすための第２孔部５２０が設けられている。
【００２３】
目安接点９５０は、板バネ９４０の先端部９４２と接触する面を回路基板５００の他方の面に設けてなるものである。具体的には、他方の面からピンを挿通し、これを一方の面からハンダ付けしてなり、そのピンの頭部が板バネ９４０の先端部９４２と接触する面となっている。
【００２４】
すなわち、目安カム９３０は、回路基板５００の一方の面と対向するとともに、回路基板５００に対して接近及び離反するものである。図６に示すように、目安カム９３０が回路基板５００に対して接近した状態においては、板バネ９４０の先端部９４２が目安接点９５０から離れている。ＯＦＦの状態である。そして、目安カム９３０の突起部９３１が目安車９１０の孔部９１１に没入して目安カム９３０が回路基板５００に対して離反すると（同図中の白矢印方向）、板バネ９４０の先端部９４２が目安接点９５０に接触する。ＯＮの状態である。図５中の２点鎖線は、先端部９４２が目安接点９５０に接触した状態を示している。
【００２５】
尚、位置検出手段７００の発光素子７１０又は受光素子７２０は、例えば図７に示すように、回路基板５００の孔部５１０に対し、ブリッジ状に設けるとよい。かかる構成により、位置検出手段７００の構成部材と板バネとの干渉を回避する。
【００２６】
以上説明したように、本例の目安機構は、位置決め精度の確保、小スペース化、及び製造性等を踏まえつつ設計の自由度の向上してなるものである。近年、時計のムーブメントは、電波修正時計用として多機能化、稠密化される傾向にあり、この目安機構は、そのようなムーブメントに設ける目安機構として極めて合理的に構成されたものとなっている。尚、本例における各部の構成は、特許請求の範囲に記載した技術的範囲において適宜に設計変更が可能であり、図例説明したものに限定されないことは勿論である。
【産業上の利用可能性】
【００２７】
本発明の目安機構は、電波修正時計のムーブメントに設ける目安機構として好適に利用することが可能である。
【図面の簡単な説明】
【００２８】
【図１】本発明の実施例に係り、電波修正時計のムーブメントを示す正面図である。
【図２】本発明の実施例に係り、電波修正時計のムーブメントを示す背面図である。
【図３】本発明の実施例に係り、電波修正時計のムーブメントを示す上面図である。
【図４】本発明の実施例に係り、ケース体の内部構造を示す説明図である。
【図５】本発明の実施例に係り、（ａ）は回路基板及び板バネの正面図、（ｂ）はその側面図。（ｃ）はその背面図である。
【図６】本発明の実施例に係り、目安機構の要部を示す説明図である。
【図７】本発明の実施例に係り、（ａ）は回路基板、板バネ、及び発光素子を示す背面図、（ｂ）は（ａ）のＡ−Ａ断面図である。
【符号の説明】
【００２９】
１    ムーブメント
２１０    第１ステッピングモータ
２２０    第２ステッピングモータ
３１０    第１減速機構
３１１    日の裏車
３１２    カナ
３２０    第２減速機構
４１０    時針パイプ
４１１    時針車
４２０    分針パイプ
４２１    分針車
４２２    カナ
４３０    秒針パイプ
４３１    秒針車
５００    回路基板
５１０    孔部
５２０    第２孔部
６００    ケース体
６０１    中板
６１０    第１ケース部材
６１１    アンテナの装着部
６１２    スナップ
６２０    第２ケース部材
６３０    第３ケース部材
６３１    ボス
７００    位置検出手段
７１０    発光素子
７２０    受光素子
７３０    透光部
８００    アンテナ
９００    目安機構
９１０    目安車
９１１    孔部
９２０    時伝え車
９３０    目安カム
９３１    突起部
９４０    板バネ
９４１    基端部
９４２    先端部
９４３    リング部
９４４    押圧部
９４５    分枝部
９５０    目安接点
【図１】
2010038583.tif 000003
【図２】
2010038583.tif 000004
【図３】
2010038583.tif 000005
【図４】
2010038583.tif 000006
【図５】
2010038583.tif 000007
【図６】
2010038583.tif 000008
【図７】
2010038583.tif 000009